(57)【特許請求の範囲】
【請求項１】
透明な柄と、
前記柄に形成され、複数色のインクで構成された第１層と、
前記第１層に重ねて同じ位置に形成され、白色のインクで構成され、前記第１層と同じ形状を有する第２層と、
前記第２層に重ねて同じ位置に形成され、複数色のインクで構成された第３層と
を有する歯ブラシ。
【請求項２】
前記第３層は、前記第１層と同じ色のインクで同じ形状及び模様を表す
請求項１に記載の歯ブラシ。
【請求項３】
透明な柄と、
前記柄に形成され、複数色のインクで構成された第１層と、
前記第１層に重ねて同じ位置に形成され、白色のインクで構成され、前記第１層と同じ形状を有する第２層と、
前記第２層と少しだけずらした位置に重ねて形成され、複数色のインクで構成された第３層と
を有する歯ブラシ。
【請求項４】
透明な塗料で構成され、前記第１層と同じ形状を有する第４層を
さらに有する請求項１に記載の歯ブラシ。
【請求項５】
透明な柄に、複数色のインクで構成された第１層を印刷するステップと、
白色のインクで構成され、前記第１層と同じ形状を有する第２層を前記第１層に重ねて同じ位置に印刷するステップと、
複数色のインクで構成された第３層を前記第２層に重ねて同じ位置に印刷するステップと、
透明な色材で構成された第４層を前記第３層に重ねて印刷するステップと
を有する印刷方法。
【発明の詳細な説明】
【技術分野】
【０００１】
本発明は、歯ブラシに関する。
【背景技術】
【０００２】
例えば、特許文献１には、歯ブラシの植毛部及び／又はハンドル部に、意匠を描いた一次層と、該一次層を隠蔽するように水反応剤にて印刷した二次層とを形成したことを特徴とする歯ブラシが開示されている。
【先行技術文献】
【特許文献】
【０００３】
【特許文献１】特開２０１０−００５１０７号公報
【発明の概要】
【発明が解決しようとする課題】
【０００４】
本発明は、デザイン性の向上した歯ブラシを提供することを目的とする。
【課題を解決するための手段】
【０００５】
上記課題を解決するために、本発明に係る歯ブラシは、透明な柄と、前記柄に形成され、複数の色材で構成された第１層と、前記第１層に重ねて形成され、単色の色材で構成された第２層と、前記第２層に重ねて形成され、複数の色材で構成された第３層とを有する。
【０００６】
好適には、前記第３層は、前記第１層と同じ複数の色材で同じ形状及び模様を表す。
【０００７】
好適には、前記第２層は、白色の色材で構成され、前記第１層と同じ形状を有する。
【０００８】
好適には、透明な塗料で構成され、前記第１層と同じ形状を有する第４層をさらに有する。
【０００９】
本発明に係る印刷方法は、透明な柄に、複数の色材で構成された第１層を印刷するステップと、単色の色材で構成された第２層を前記第１層に重ねて印刷するステップと、複数の色材で構成された第３層を前記第２層に重ねて印刷するステップと、透明な色材で構成された第４層を前記第３層に重ねて印刷するステップとを有する。
【発明の効果】
【００１０】
本発明は、デザイン性の向上した歯ブラシを提供することができる。
【図面の簡単な説明】
【００１１】
【図１】実施形態に係る歯ブラシ１０の表面（植毛側）図及び背面図である。
【図２】実施形態に係る歯ブラシ１０の第１層、第２層、第３層、及び第４層の模様と形状を表す図である。
【図３】実施形態に係る歯ブラシ１０の柄への印刷処理（Ｓ１０）である。
【図４】実施形態に係る印刷を施された歯ブラシ１０の表面（植毛側）図と背面図である。
【発明を実施するための形態】
【００１２】
以下、本発明の実施形態を、図面を参照して説明する。
図１は、実施形態に係る歯ブラシ１０の表面（植毛側）図及び背面図である。歯ブラシ１０は、その背面に印刷部１００を保持する。また、歯ブラシ１０の柄は、透明な樹脂で形成される。しかし、歯ブラシ１０の柄の素材は、透明であれば、これに限定されるものではない。
【００１３】
図２は、実施形態に係る歯ブラシ１０の第１層、第２層、第３層、及び第４層の模様と形状を表す図である。
図２（a）に例示されるように、歯ブラシ１０の第１層は、複数の色材で構成され、これの色材の形状及び組合せによって、模様を形成する。
図２（ｂ）に例示されるように、歯ブラシ１０の第２層は、第１層に重ねて形成され、単色の色材で構成される。より具体的には、第２層は、白色の色材で構成され、第１層と同じ形状を有する。
図２（ｃ）に例示されるように、歯ブラシ１０の第３層は、第２層に重ねて形成され、複数の色材で構成される。より具体的には、第３層は、第１層と同じ複数の色材で同じ形状、及び同じ模様を表す。
図２（ｄ）に例示されるように、実施形態に係る歯ブラシ１０の第４層は、透明な塗料で構成され、第１層と同じ形状を有する。
【００１４】
図３は、実施形態に係る歯ブラシ１０の柄への印刷処理（Ｓ１０）である。
図３に示されるように、ステップ１００（Ｓ１００）において、作業者は、インクジェット印刷機を使用して、歯ブラシ１０の印刷部１００に、複数色のインクからなる第１層を印刷する。印刷機は、例えば、ミマキエンジニアリング製のＵＪＦ−３０４２ＦＸを使用して印刷する。歯ブラシ１０の柄には、高い精度で同じ位置に複数回印刷する必要があるため、印刷開始前に、歯ブラシ１０は、少なくとも印刷面方向にずれないように、インクジェット印刷機に強く固定されることが望ましい。
【００１５】
ステップ１０５（Ｓ１０５）において、作業者は、インクジェット印刷機を使用して、白色のインクのみからなる第２層を、歯ブラシ１０の印刷部１００の第１層が印刷された上に重ねて印刷する。印刷位置と印刷向きとは、印刷された第１層と同じ位置、及び同じ向きである。
ステップ１１０（Ｓ１１０）において、作業者は、インクジェット印刷機を使用して、第１層と同じインクの組合せからなる第３層を、歯ブラシ１０の印刷部１００の第２層が印刷された上に重ねて印刷する。印刷位置と印刷向きとは、印刷された第１層と同じ位置、及び同じ向きである。
【００１６】
ステップ１１５（Ｓ１１５）において、作業者は、インクジェット印刷機を使用して、透明塗料からなる第４層を、歯ブラシ１０の印刷部１００の第３層が印刷された上に重ねて印刷する。印刷位置と印刷向きとは、第１層と同じ位置、及び同じ向きである。
【００１７】
以上説明したように、本実施形態の歯ブラシ１０は、透明な柄に、第１層、第２層、第３層及び第４層が印刷されてなる。第１層は、複数の色材で構成される。第２層は、白色で構成され、その形状が第１層と同じである。第３層は、第１層と同じ複数の色材、及び同じ形状で構成される。第４層は、透明であり、形状が第１層と同じである。印刷機によって第１層を印刷され、その上に第２層が印刷され、さらに、第２層の上に第３層が重ねて印刷されることによって、歯ブラシ１０は、正面と背面から同じ模様を見ることが出来る。また、第４層が印刷されることによって、印刷された第１層、第２層、及び第３層が剥げることを防ぐと共に、ツヤを出し、かつ、絵柄の立体感を強調する効果が期待できる。
【００１８】
次に、上記実施形態の変形例を説明する。
上記実施形態では、第３層は、歯ブラシ１０の印刷部１００に印刷された第１層と同じ位置に印刷されている。しかし、同じ位置ではなく、第１層の印刷位置から、敢えて少しだけずらして第３層を印刷すると、歯ブラシ１０の模様は、正面から見た際に、立体的に見える効果がある。
さらに、本実施形態では、インクを使用して歯ブラシ１０へ印刷しているが、これに限定されるものではなく、例えばシールでもよい。
また、本実施形態では、第３層と第４層との形状は、第１層と同じであるが、これに限定され るものではなく、第１層の輪郭のみと同じであってもよい。
【符号の説明】
【００１９】
１０…歯ブラシ
１００…印刷部
【図１】
0005978450.tif 000002
【図２】
0005978450.tif 000003
【図３】
0005978450.tif 000004
【図４】
0005978450.tif 000005